(57)【要約】【課題】イベントにおける演出効果を実現するにあたり、イベント開催者の意図を反映させた演出効果を実現しつつ、個々の参加者（ユーザ）の自己アピール欲求をも満たすことが可能な携帯用表示装置等を提供すること。【解決手段】通信端末装置１０は、自機の動きを検出し、当該検出された動きと表示部における表示態様を規定する表示制御情報を比較しつつ表示部に表示すべき画像の表示態様を変化させる。【選択図】図９
2013077118.tif 000002
【特許請求の範囲】
【請求項１】
ユーザによって携帯される携帯用表示装置であって、
所定の色、階調または輝度の少なくとも何れか一つにより画像を表示する表示手段と、
自機の動きを検出する検出手段と、
前記検出された動き毎に異なる表示態様を規定する表示制御情報が記憶される記憶手段と、
前記表示制御情報及び前記検出された動きに基づいて前記表示手段の表示態様を変化させる表示管理制御手段と、
を具備することを特徴とする携帯用表示装置。
【請求項２】
請求項１に記載の携帯用表示装置において、
前記表示制御情報には、更に、日時毎に前記表示手段における表示態様を規定する日時情報が含まれている、携帯用表示装置。
【請求項３】
請求項１または２に記載の携帯用表示装置において、
前記検出手段が、前記動きとして、少なくとも自機の移動加速度、移動方向、回転状態または自機の向いている方角の何れかを検出する、携帯用表示装置。
【請求項４】
請求項３に記載の携帯用表示装置において、
前記表示管理制御手段が、前記移動方向に応じて表示させる画像の色を変化させる、携帯用表示装置。
【請求項５】
請求項３に記載の携帯用表示装置において、
前記表示管理制御手段が、前記移動速度に応じて表示させる画像の輝度を変化させる、携帯用表示装置。
【請求項６】
請求項３に記載の携帯用表示装置において、
前記表示管理制御手段が、前記方角に応じて表示させる画像の輝度を変化させる、携帯用表示装置。
【請求項７】
請求項３乃至６の何れかに記載の携帯用表示装置において、
前記表示制御情報には、更に、ユーザの位置を示す位置情報を含む、携帯用表示装置。
【請求項８】
所定の色、階調または輝度の少なくとも何れか一つにより画像を表示する表示手段と、自機の動きを検出する検出手段と、を具備する複数の携帯用通信端末装置と、ネットワークを介して接続されるとともに、当該携帯用通信端末装置に前記表示制御情報を提供するサーバ装置であって、
前記携帯用通信端末装置の動きに応じて前記表示手段における表示態様を変化させるための表示制御情報を記録する表示制御情報記憶手段と、
各携帯用通信端末装置によって前記表示制御情報及び前記検出された動きに基づいて前記表示手段の表示態様を変化させる表示管理を実行させるために、前記表示制御情報記憶手段に記憶された前記表示制御情報を該当する携帯用通信端末装置に配信する配信手段と、
を具備することを特徴とするサーバ装置。
【請求項９】
請求項８に記載のサーバ装置において、
前記配信手段が、前記携帯用通信端末装置に対して所定のタイミングにおいて前記表示制御情報を自動的に配信する、サーバ装置。
【請求項１０】
請求項８または９に記載のサーバ装置において、
前記表示制御情報記憶手段には、前記表示制御情報と対応付けて少なくとも位置情報が記憶されている、サーバ装置。
【請求項１１】
ユーザによって携帯され、且つ、所定の色、階調または輝度の少なくとも何れかひとつにより画像を表示する表示手段を有する携帯用表示装置を
自機の動きを検出する検出手段、
前記検出された動き毎に異なる表示態様を規定する表示制御情報が記憶される記憶手段、及び、
前記表示制御情報及び前記生成された動きの情報に基づいて前記表示手段の表示態様を変化させる表示管理制御手段、
として機能させることを特徴とするプログラム。
【請求項１２】
所定の色、階調または輝度の少なくとも何れかひとつにより画像を表示する表示手段と、自機の動きを検出する検出手段と、を具備する複数の携帯用通信端末装置と、ネットワークを介して接続されるとともに、当該携帯用通信端末装置に前記表示制御情報を提供するサーバ装置用コンピュータであって、
前記携帯用通信端末装置の動きに応じて前記表示手段における表示態様を変化させるための表示制御情報を表示制御情報記憶手段に記憶させる記憶制御手段、及び、
各携帯用通信端末装置によって前記表示制御情報及び前記検出された動きに基づいて前記表示手段の表示態様を変化させる表示管理を実行させるために、前記表示制御情報記憶手段に記憶された前記表示制御情報を該当する携帯用通信端末装置に配信する配信手段、
として機能させることを特徴とするプログラム。
【発明の詳細な説明】
【技術分野】
【０００１】
本発明は、色、階調または輝度等を変更可能な携帯型表示装置及びサーバ装置、並びに、これらを制御するプログラムに関する。
【背景技術】
【０００２】
近年、ライブコンサート、スポーツ観戦、遊園地におけるパレード等のイベント（以下、単に「イベント」という。）への参加者（以下、「観客」または単に「ユーザ」ともいう。）が観客席を含むイベント開催会場（以下、「イベント会場」という。）にてサイリウム等の発光体を持ち寄り、掲げたり振ったりすることによりユーザ間における一体感を向上させ、イベントの盛り上げ効果を演出するケースが増えている。
【０００３】
また、イベントにおける演出効果をより向上させるために、イベント会場の観客席において任意の光の文字、画像、模様（以下、単に「画像」という。）を表現する演出手法を実現するシステムも提案されている（例えば、特許文献１）。
【０００４】
このシステムにおいては、観客席において表現したい画像を所定の画素エリアに分割して、各画素エリアに対してユーザの携帯する発光体を割り当てる。そして、イベント開催中、イベント開催者が発光体の発光状態を遠隔制御する。このような構成により、上記システムは、イベント開催者が意図する画像を観客席において表現することを可能にしている。
【先行技術文献】
【特許文献】
【０００５】
【特許文献１】特開２００３−３６９８１号公報
【発明の概要】
【発明が解決しようとする課題】
【０００６】
しかしながら、特許文献１に開示されたシステムにあっては、イベント開催者側の意図を反映させることはできるものの、ユーザ個々人の自己アピール欲求を満たすことができないことも多い。その一方、イベント開催者側としては会場全体の盛り上げ効果を十分に確保する必要性があり、開催者側の意図を完全に無視することもできないので、ユーザ個々人の自由意志に完全に委ねることも難しい。
【０００７】
本発明は、上記課題を解決するためになされたものであり、その目的は、イベントにおいてイベント開催者が期待する演出効果を実現しつつ、ユーザ個々人のアピール欲求を満たし、かつ、イベントにおける演出効果を最大限に発揮させることが可能な携帯用表示装置等を提供することにある。
【課題を解決するための手段】
【０００８】
（１）上述した課題を解決するため、本発明の携帯用表示装置は、ユーザによって携帯される携帯用表示装置であって、所定の色、階調または輝度の少なくとも何れか一つにより画像を表示する表示手段と、自機の動きを検出する検出手段と、前記検出された動き毎に異なる表示態様を規定する表示制御情報が記憶される記憶手段と、前記表示制御情報及び前記検出された動きに基づいて前記表示手段の表示態様を変化させる表示管理制御手段と、を備える構成を有している。
【０００９】
この構成により、本発明の携帯用表示装置は、ユーザのジェスチャに対応した当該携帯用表示装置自体の動きを検出し、当該検出した動きに応じて表示態様を変化させることができる。
【００１０】
したがって、本発明の携帯用表示装置は、ユーザ個々人が自身の感情に基づいて携帯用表示装置を動かすことにより、自分独自の表示態様を表現させることができるとともに、イベントにおいて利用する場合に、イベント開催者としても、事前に表示制御情報を配布することによって、当該主催者の意図した演出効果を実現することができる。
【００１１】
この結果、本発明の携帯用表示装置は、イベントにおいてイベント開催者が期待する演出効果を実現しつつ、ユーザ個々人のアピール欲求を満たし、イベントにおける演出効果を最大限に発揮することができる。
【００１２】
（２）また、本発明の携帯用表示装置は、前記表示制御情報には、更に、日時毎に前記表示手段における表示態様を規定する日時情報が含まれている構成を有している。
【００１３】
この構成により、本発明の携帯用表示装置は、例えば、イベントの進捗に合わせて表示態様を時々刻々と変化させることができるので、きめ細やかな演出を行うことができる。
【００１４】
（３）また、本発明の携帯用表示装置は、前記検出手段が前記動きとして、少なくとも自機の移動加速度、移動方向、回転状態または自機の向いている方角の何れかを示す情報を検出する構成を有している。
【００１５】
この構成により、本発明の携帯用表示装置においては、移動方向、回転状態、方角の何れかまたはこれらの組み合わせに応じて表示態様を変更させることができる。
【００１６】
したがって、本発明の携帯用表示装置は、前記表示態様の変更時にユーザのジェスチャをきめ細かく反映させた表示態様を表現させることができる。
【００１７】
（４）また、本発明の携帯用表示装置は、前記表示管理制御手段が、前記移動方向に応じて表示させる画像の色を変化させる、構成を有している。
【００１８】
この構成により、本発明の携帯用表示装置は、携帯用表示装置の動きに連動して前記表示手段に表示される画像の色を可変することができる。
【００１９】
（５）また、本発明の携帯用表示装置は、前記表示管理制御手段が、前記移動速度に応じて表示させる画像の輝度を変化させる構成を有している。
【００２０】
この構成により、本発明の携帯用表示装置は、ユーザが感情の高ぶりに応じて携帯用表示装置の移動速度を変化させると、前記表示手段に表示される画像の明るさを可変することができる。すなわち、ユーザの感情をより正確に表現できるのである。
【００２１】
（６）また、本発明の携帯用表示装置は、前記表示管理制御手段が前記方角に応じて表示させる画像の輝度を変化させる構成を有している。
【００２２】
この構成により、本発明の携帯用表示装置は、例えば、イベント会場においてゲストが登場するような場面において、所定の方角に携帯用表示装置を掲げることによって、携帯用表示装置の表示画像を明るくし、イベント会場内の盛り上げ効果を高めることもできる。
【００２３】
（７）また、本発明の携帯用表示装置は、前記表示制御情報として、更に、ユーザの位置を示す位置情報を含む情報を利用する構成を有している。
【００２４】
この構成により、本発明の携帯用表示装置は、例えば、イベント会場におけるユーザの座席位置に応じて表示態様を変更させることができる。
【００２５】
（８）また、上述した課題を解決するため、本発明のサーバ装置は、所定の色、階調または輝度の少なくとも何れか一つにより画像を表示する表示手段と、自機の動きを検出する検出手段と、を具備する複数の携帯用通信端末装置と、ネットワークを介して接続されるとともに、当該携帯用通信端末装置に前記表示制御情報を提供するサーバ装置であって、前記携帯用通信端末装置の動きに応じて前記表示手段における表示態様を変化させるための表示制御情報を記録する表示制御情報記憶手段と、各携帯用通信端末装置によって前記表示制御情報及び前記検出された動きに基づいて前記表示手段の表示態様を変化させる表示管理を実行させるために、前記表示制御情報記憶手段に記憶された前記表示制御情報を該当する携帯用通信端末装置に配信する配信手段と、を具備する構成を有している。
【００２６】
この構成により、本発明のサーバ装置は、携帯用表示装置の動きに連動して携帯用表示装置における表示態様を可変させることができ、携帯用表示装置及びサーバ装置をイベントにおいて利用する場合に、イベント開催者としても、このサーバ装置を用いて携帯用表示装置に対して、事前に表示制御情報を配布することにより、自身の意図した演出効果を実現できる。
【００２７】
この結果、本発明のサーバ装置は、イベントにおいてイベント開催者が期待する演出効果を実現しつつ、ユーザ個々人のアピール欲求を満たし、イベントにおける演出効果を最大限に発揮させることができる。
【００２８】
（９）また、本発明のサーバ装置は、前記配信手段が、前記通信端末装置に対して所定のタイミングにおいて前記表示制御情報を自動的に配信する、構成を有している。
【００２９】
この構成により、本発明のサーバ装置は、携帯用表示装置をイベントにおいて利用する場合に、イベント開催者が、このサーバ装置の表示制御記憶手段に記憶される表示制御情報を自身の都合に合わせて変更した場合においても、携帯用表示装置に対して自身の意図したタイミングにおいて、当該変更した表示制御情報を自動的に携帯用表示装置に配信して、表示態様を自由なタイミングにおいて変更できる。
【００３０】
したがって、本発明のサーバ装置は、例えば、イベントのタイムスケジュールがずれ込んだような場合であっても、随時、サーバ装置から新たな表示制御情報を携帯用表示装置に配信できるので、きめ細かな演出効果を実現することが可能となる。
【００３１】
（１０）また、本発明のサーバ装置は、前記表示制御情報記憶手段に、前記表示制御情報と対応付けて少なくとも位置情報が記憶されている構成を有している。
【００３２】
この構成により、本発明のサーバ装置は、例えば、イベント会場におけるユーザの座席位置に応じて表示態様を変更させ、適切な演出効果を表現できる。
【００３３】
（１１）また、本発明のプログラムは、ユーザによって携帯され、且つ、所定の色、階調または輝度の少なくとも何れか一つにより画像を表示する表示手段を有する携帯用表示装置を、自機の動きを検出する検出手段、前記検出された動き毎に異なる表示態様を規定する表示制御情報が記憶される記憶手段、及び、前記表示制御情報及び前記生成された動きの情報に基づいて前記表示手段の表示態様を変化させる表示管理制御手段、として機能させように構築されている。
【００３４】
この構成により、本発明のプログラムは、ユーザのジェスチャに対応する携帯用表示装置の動きに応じて各携帯用表示装置の表示態様を変化させることができる。
【００３５】
（１２）また、本発明のプログラムは、所定の色、階調または輝度の少なくとも何れか一つにより画像を表示する表示手段と、自機の動きを検出する検出手段と、を具備する複数の携帯用通信端末装置と、ネットワークを介して接続されるとともに、当該携帯用通信端末装置に前記表示制御情報を提供するサーバ装置用コンピュータであって、前記携帯用通信端末装置の動きに応じて前記表示手段における表示態様を変化させるための表示制御情報を表示制御情報記憶手段に記憶させる記憶制御手段、及び、各携帯用通信端末装置によって前記表示制御情報及び前記検出された動きに基づいて前記表示手段の表示態様を変化させる表示管理を実行させるために、前記表示制御情報記憶手段に記憶された前記表示制御情報を該当する携帯用通信端末装置に配信する配信手段、として機能させるように構築されている。
【００３６】
この構成により、本発明のプログラムは、携帯用表示装置の動きに連動して携帯用表示装置における表示態様を可変させることができ、携帯用表示装置及びサーバ装置をイベントにおいて利用する場合に、イベント開催者は、携帯用表示装置に対して、事前に表示制御情報を配布することにより、自身の意図した演出効果を実現できる。
【発明の効果】
【００３７】
本発明は、イベントにおいてイベント開催者が期待する演出効果を実現しつつ、それと同時にユーザ個々人のアピール欲求を満たし、イベントにおける演出効果を最大限に発揮させることが可能となる。
【図面の簡単な説明】
【００３８】
【図１】本発明に係る第１実施形態における通信システムの構成を示すブロック図である。
【図２】第１実施形態の通信システムにおいて実行される動作概要を示す概念図である。
【図３】第１実施形態における通信端末装置の構成を示す構成図である。
【図４】第１実施形態の通信端末装置が保持する表示管理テーブルのデータ構成の一例を示す図である。
【図５】第１実施形態におけるサーバ装置の構成を示すブロック図である。
【図６】第１実施形態におけるサーバ装置内のイベントデータベースに記憶されるデータの一例を示す図である。
【図７】第１実施形態におけるサーバ装置内の表示制御データベースに記憶されるデータの一例を示す図である。
【図８】第１実施形態の通信端末装置及びサーバ装置において実行されるチェックイン処理を示すフローチャートである。
【図９】第１実施形態の通信端末装置において実行される表示態様変更処理を示すフローチャートである。
【図１０】第２実施形態のイベントデータベースのデータ格納例を示す図である。
【図１１】第２実施形態の表示制御データベースのデータ格納例を示す図である。
【発明を実施するための形態】
【００３９】
以下、本発明の実施形態について、図面を参照しながら説明する。なお、以下の実施形態は、通信端末装置及び当該通信端末装置とネットワークを介して接続されるサーバ装置を有する通信システムに対し、本発明の携帯用表示装置、サーバ装置、プログラムを適用した場合の実施形態である。
【００４０】
［１］第１実施形態
はじめに、図１〜図９の各図を用いて本発明に係る通信システム１の第１実施形態について説明する。
【００４１】
［１．１］通信システムの構成及び概要
まず、図１及び図２を用いて本実施形態における通信システム１の構成及び動作概要について説明する。
【００４２】
なお、図１は、第１実施形態における通信システム１の構成を示すブロック図であり、図２は、第１実施形態の通信システム１において実行される動作概要を示す概念図である。また、図が煩雑になることを防止するために、図１及び図２においては、一部のユーザのみを示している。すなわち、実際の通信システム１においては、表示するよりも多数の通信端末装置が存在している。
【００４３】
本実施形態の通信システム１は、図１に示すように、各々異なるユーザにより携帯される複数の通信端末装置１０と、ワイヤレスＬＡＮ（ｗｉｒｅｌｅｓｓ  ｌｏｃａｌ  ａｒｅａ  ｎｅｔｗｏｒｋ）のアクセスポイントを含む基地局５０及びネットワーク２０を介して各通信端末装置１０と接続されるサーバ装置３０と、により構成される。なお、図１及び２において「ＰＥ」はイベント会場を概念的に示したものである。
【００４４】
また、ネットワーク２０は、例えば、携帯電話網を含む公衆電話回線網と、ＩＰ（Ｉｎｔｅｒｎｅｔ  Ｐｒｏｔｏｃｏｌ）ネットワークが相互接続されて構成されている。ただし、当該ネットワーク２０の構成は、これに限られない。
【００４５】
本実施形態の通信システム１は、通信端末装置１０を携帯したユーザ及びイベント開催者双方の意図に基づきイベント会場にて実施されるイベントの盛り上げ効果（すなわち演出効果）を最大限に引き出すためのシステムである。
【００４６】
通信端末装置１０は、例えば、通信機能を有するタブレット型情報端末装置、スマートフォンまたは携帯用電話機などであり、複数の画素により構成され、各画素単位にて色（発光色）、階調及び輝度等を変化させることにより各種の画像を表示する表示機能を有し、かつ、ユーザによって携帯可能な通信端末装置である。
【００４７】
また、通信端末装置１０は、
（１）予め定められた固有のＩＤ（以下、「端末ＩＤ」という。）と、
（２）ユーザ名と、
（３）パスワードと、
（４）ユーザが参加するイベントに割り当てられ、各イベントを一意に特定するためのイベントＩＤ（以下、単に「イベントＩＤ」という。）と、
を含む各種の情報（以下、「イベント参加登録情報」という。）を予めサーバ装置３０に登録する登録処理（以下、「イベント参加登録処理」という。）を実行可能な構成を有している。
【００４８】
また、通信端末装置１０は、参加登録したイベント（以下、「参加登録イベント」という。）のイベント会場において所定の操作を行うことにより、現在位置に基づいて当該イベントへの参加状態（以下、「チェックイン状態」という。）へと移行するためのチェックイン処理をサーバ装置３０との間において実行するように構成されている。
【００４９】
このチェックイン処理においては、通信端末装置１０は、サーバ装置３０から
（１）自機のモーション（すなわち、通信端末装置１０自体の動き）を検出し、当該検出した動きに基づき、上記表示部における表示態様を変化させるためのアプリケーション（以下、「表示制御アプリ」という。）と、
（２）この表示制御アプリに基づく処理の実行時、表示部における表示態様の変化基準を規定する表示制御情報と、
をダウンロードする構成となっている（図２参照）。
【００５０】
また、このチェックイン処理後に、ユーザが、イベント会場ＰＥ内において自分自身のジェスチャとして、通信端末装置１０を振り、または、回転させるとともに、それらと同時にまたは別の動作として、所定の方角に通信端末装置１０を掲げると、通信端末装置１０は、当該通信端末装置１０自体の動きを、モーションとして検知する。
【００５１】
そして、通信端末装置１０は、その動きに応じて、表示制御アプリ及び表示制御情報に基づく処理を実行して、上記表示部の表示態様を変更するように構成されている。すなわち、通信端末装置１０は、この表示態様を変更するための処理（以下、「表示態様変更処理」という。）を実行するようになっている。
【００５２】
通信端末装置１０は、この表示態様変更処理を実行することにより、ユーザの動き（すなわち、ジェスチャ）と連動させて上記表示部における表示態様を変化させることが可能となるので、個々のユーザ毎に独自の自己アピール表現を行うことができる。
【００５３】
なお、詳しくは後述するが、上記表示制御アプリは、イベント参加中にユーザが興奮して、ジェスチャのスピード、すなわち、通信端末装置１０を動かすスピードを速める（例えば激しく振ったり、激しく回転させたりする）と、上記表示部の表示輝度を明るくする一方、スピードを遅くすると表示部の表示輝度を暗くするように構築されている。また、表示制御アプリは、通信端末装置１０の動くスピードのみならず通信端末装置１０の掲げられている方角によっても輝度を変更するように構築されている。
【００５４】
一方、本実施形態のサーバ装置３０は、上記イベント参加登録情報に基づいて、各ユーザのイベントへの参加登録を管理するように構成されている。特に、このサーバ装置３０は、表示制御アプリ及び表示制御情報が格納されたデータベース（以下、「ＤＢ」という。）を構成要素の一部として具備している。そして、ＤＢに格納される表示制御アプリ及び表示制御情報は、各イベントの演出効果にマッチするようにイベント開催者がイベント毎に個別、かつ、自由に構築し、事前に記録（登録）されるようになっている。
【００５５】
サーバ装置３０は、このような構成を有することにより、例えばライブコンサートの場合には、ミュージシャンのイメージに合致する色を通信端末装置１０において発色させるといった具合に、イベント毎に、イベント開催者の意図する演出効果を確実に表現できるようになっている。
【００５６】
また、サーバ装置３０において、表示制御アプリ及び表示制御情報は、対応するイベントに関する各種の情報（以下、「イベント情報」という。）と紐付けて管理される。イベント情報には、例えば、上記イベントＩＤの他に、当該イベント会場ＰＥの位置を示す情報（以下、「イベント開催位置情報」という。）やイベントの開催日時情報、当該イベントのタイトルや概要を示す情報（以下、「イベント概要情報」という。）も含まれる。
【００５７】
以上、本実施形態の通信システム１、または、当該通信システムを構成する通信端末装置１０若しくはサーバ装置３０は、ユーザ個々人の自己アピール欲求と、イベント開催者の意図する演出効果と、の双方を満たした演出効果を実現し、イベントにおける演出効果を最大限に発揮させることが可能となっている。
【００５８】
他方、通信端末装置１０は、例えば、ＸＭＬ（ｅＸｔｅｎｓｉｂｌｅ  Ｍａｒｋｕｐ  Ｌａｎｇｕａｇｅ）、ｊｓｏｎ(ｊａｖａｓｃｒｉｐｔ  ｏｂｊｅｃｔ  Ｎｏｔａｔｉｏｎ)等のデータ記述言語などによって構成されているＷＷＷ（Ｗｏｒｌｄ  Ｗｉｄｅ  Ｗｅｂ）システム用のリソースデータとネットワーク上のアドレスを示す固有のＵＲＬ（Ｕｎｉｆｏｒｍ  Ｒｅｓｏｕｒｃｅ  Ｌｏｃａｔｏｒ）とを用いつつ、サーバ装置３０とのデータ通信を行いサーバ装置３０から受信したリソースデータに基づいて当該データに対応するコンテンツを表示するためのブラウザ機能を有している。
【００５９】
そして、通信端末装置１０は、このブラウザ機能を用いてサーバ装置３０に端末ＩＤ及び現在位置情報を送信し、上記イベント参加登録処理及びチェックイン処理を実行する。
【００６０】
特に、通信端末装置１０は、イベント登録参加処理を実行する際に、当該通信端末装置１０の現在位置に関連づけて参加登録可能なイベントの一覧（以下、「イベント一覧データ」という。）を取得してユーザに閲覧可能に表示しつつ、当該一覧の画像の中から一のイベントを選択させることによって特定のイベントへの参加登録を実行するように構成されている。
【００６１】
また、通信端末装置１０は、チェックイン処理を実行する際においても、当該通信端末装置１０の現在位置に関連づけてチェックイン可能なイベントのイベント一覧データを取得してユーザに閲覧可能に表示しつつ、当該一覧の中から一のイベントを選択させることによって特定のイベントへのチェックインを実行するように構成されている。
【００６２】
そして、後に詳述するが、本実施形態の通信端末装置１０は、日時毎に異なった表示態様を規定する日時情報に基づいて自機の動きを検出した際の日時に応じて表示部の表示態様を変化させるように構成されている。
【００６３】
このような構成を有することにより、通信端末装置１０は、時刻の変遷に伴って、ユーザのジェスチャに伴う表示態様の変化状態を時々刻々と変化させることができるようになっている。
【００６４】
したがって、通信端末装置１０は、イベントの進捗に合わせて、例えば表示色を緑から赤へ変更させるというような演出を実現することも可能となり、イベント開催者の意図する演出効果を更に忠実に表現させることが可能となる。
【００６５】
［１．２］通信端末装置の構成
次に、図３及び図４を用いて本実施形態の各通信端末装置１０の構成について説明する。なお、図３は、本実施形態の通信端末装置１０の構成を示す構成図であり、図４は、記憶部１００に記憶された表示管理テーブルＴ１のデータ構成の一例を示す図である。
【００６６】
本実施形態の通信端末装置１０は、図３に示すように、記憶部１００と、ネットワーク通信部１１０と、現在位置検出部１２０と、モーション検出部１３０と、表示部１４０と、表示制御部１５０と、タイマ１６０と、操作部１７０と、端末管理制御部１８０と、有している。
【００６７】
なお、上記の各部は、バスＢによって相互に接続され、各構成要素間におけるデータの転送が実行される。
【００６８】
記憶部１００は、例えばハードディスクドライブ（以下、「ＨＤＤ」と略す。）またはＮＡＮＤ型などの不揮発性メモリによって構成される。また、記憶部１００には、モーション検出部１３０と、表示制御部１５０と、端末管理制御部１８０と、がワークエリアとして用いるＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ  ）も含まれる。
【００６９】
特に、記憶部１００は、アプリケーション記憶部１０１と、テーブル記憶部１０２と、イベント情報記憶部１０３と、を少なくとも含む。
【００７０】
アプリケーション記憶部１０１には、表示制御部１５０及び端末管理制御部１８０によって実行される様々なアプリケーションプログラム及び上記端末ＩＤが記憶される他に、上記チェックイン処理においてダウンロードされる表示制御アプリも記録される。
【００７１】
テーブル記憶部１０２には、表示制御アプリと表示制御情報を管理するための表示管理テーブルＴ１が記憶される。例えば、表示管理テーブルＴ１には、図４に示すように、
（１）当該通信端末装置１０のユーザがチェックイン中のイベントに対応したイベントＩＤと、
（２）当該イベントに対応した表示制御アプリの記録アドレスと、
（３）当該表示制御アプリの実行時に利用すべき表示制御情報と、
が対応付けて記憶される。
【００７２】
また、表示制御情報には、上記日時情報が含まれており、この日時情報には
（Ａ）通信端末装置１０にて検出されるモーション（動き）を規定する動き情報と、
（Ｂ）当該動き情報に合致する動きが検出された際に、表示部１４０に表示すべき色（発光色）を規定する色情報と、
（Ｃ）当該動き情報に合致する動きが検出された際に、表示部１４０において表示する色の階調を規定する階調情報と、
が含まれる。
【００７３】
本実施形態においては、表示制御情報には、上記各情報（１）〜（３）が含まれるので、通信端末装置１０の動きを検出した場合には、その動きに応じて表示態様を変化させることができる。また、各日時情報には、上記各情報（Ａ）〜（Ｃ）に示されるように、各々異なる動き情報や色情報、階調情報が対応付けられているため、イベントの進捗に伴うことによって日時が変遷すると、通信端末装置１０において検出される動きが同一の場合であっても、上記表示部１４０における表示態様は自動的に変化するようになっている。したがって、通信端末装置１０は、イベントの進捗に合わせて表示態様を変化させることができるようになっている。
【００７４】
例えば、通信端末装置１０を所持したユーザによって「ｅｖｅｎｔ：１」なるイベントＩＤにより特定されるイベントへのチェックインが実行され、図４に例示するような表示管理テーブルＴ１がチェックイン処理により、通信端末装置１０に構築されている場合であって、当該イベントへの参加中に「２０１１／８／１  １１：１５」となった場合を想定する。
【００７５】
このとき、ユーザが自身の所持する通信端末装置１０を「縦に振る」と、当該通信端末装置１０に表示される表示色は、色情報により特定される「赤」に、また、当該表示色の階調は「１２０」に決定される。その一方、ユーザが通信端末装置１０を「横に振る」と、階調は、同一であっても、表示色は「青」になり、回転させると、表示色は、「シルバー」に変化する。
【００７６】
また、イベントの進捗と合わせて日時が同日の「１１：３０」を経過した場合には、ユーザが自身の所持する通信端末装置１０を「縦に振る」と、発光色は、「白」及び階調は、「１６０」となり、「横に振る」と、階調は同一で発行色は「黄」色になる。そして、ユーザが自身の所持する通信端末装置１０を「回転」すると、発行色は「緑」色及び階調は「１６０」となる。ここで、通信端末装置１０を「回転」させるとは、ユーザが通信端末装置１０を手に持ったときに、手首をねじることによって回転させる方向に通信端末装置１０を左右に振ることをいう。
【００７７】
なお、通信端末装置１０は、その後もイベントの進捗に合わせて日時が変わり、各動きに対応する色情報と、階調情報が変化していく構成になっている。
【００７８】
イベント情報記憶部１０３には、イベント参加登録処理において登録されたイベントに対応する上記イベント参加登録情報が記憶される。
【００７９】
ネットワーク通信部１１０は、ネットワーク２０に接続される基地局５０を介してサーバ装置３０と通信チャネルを構築し、種々のデータの授受を行う。
【００８０】
現在位置検出部１２０は、所定のタイミング毎に通信端末装置１０の現在位置を検出しつつ、当該現在位置示す現在位置情報を生成する。
【００８１】
例えば、現在位置検出部１２０は、所定のタイミングにおいて、図１に示すＧＰＳ（Ｇｌｏｂａｌ  Ｐｏｓｉｔｉｏｎｉｎｇ  Ｓｙｓｔｅｍ）衛星４０の位置を認識しつつ、当該ＧＰＳ衛星４０から送信された衛星信号（ＧＰＳ信号）を受信する。そして、現在位置検出部１２０は、当該受信したＧＰＳ信号に基づいて自機の現在位置の座標値（例えば、緯度及び経度）を算出し、当該座標値を現在位置情報として端末管理制御部１８０に提供する。
【００８２】
なお、通信端末装置１０のネットワーク通信部１１０が、携帯電話機能を実現するチップセット、或いは、ＩＥＥＥ８０２．１１系の各種ワイヤレスＬＡＮ（Ｗｉｒｅｌｅｓｓ  ｌｏｃａｌ  ａｒｅａ  ｎｅｔｗｏｒｋ）の通信プロトコルに従って、無線通信を行う機能を実現するチップセットを用いて構成されている場合には、現在位置検出部１２０は、無線システム等において用いられる、三点測量法、すなわち、基地局５０から受信した電波信号の方角と電波強度に基づいて自機の現在位置を検出しても良い。
【００８３】
モーション検出部１３０は、ジャイロセンサ１３１と、加速度センサ１３２と、電子コンパス１３３と、を有し、通信端末装置１０のモーション（すなわち、通信端末装置１０の動き）を検出する機能を有する。
【００８４】
ジャイロセンサ１３１は、通信端末装置１０の回転角度やその際の角速度を検出して当該検出結果を示す回転情報を生成し、端末管理制御部１８０に提供する。また、加速度センサ１３２は、通信端末装置１０が動かされた際の加速度及び速度を検出して当該検出結果を示す速度情報を生成し、端末管理制御部１８０に提供する。さらに、電子コンパス１３３は、
微弱な地磁気を検知する磁気センサを含み、通信端末装置１０が向けられている方角を示す方角情報（すなわち、東西南北等を示す情報）を生成し、端末管理制御部１８０に提供する。
【００８５】
タイマ１６０は、現在日時を特定するために用いられ、当該特定された日時を示す時間情報を端末管理制御部１８０に提供する。
【００８６】
操作部１７０は、各種の確認ボタン、各操作指令を入力する操作ボタン、テンキーなどの多数のキー及びタッチパネルにより構成され、各操作を行う際に用いられるようになっている。
【００８７】
表示部１４０は、例えば、液晶素子または有機ＥＬ（Ｅｌｅｃｔｒｏ  Ｌｕｍｉｎｅｓｃｅｎｃｅ）素子のパネルによって構成され、複数の画素を有するとともに、表示制御部１５０による制御の下、画素単位にて発光色、階調、輝度等を変更することにより各種の画像を表示する構成になっている。
【００８８】
表示制御部１５０は、端末管理制御部１８０による制御の下、表示部１４０に表示させるために必要な表示データを生成するようになっており、生成された表示データを当該表示部１４０に出力するようになっている。ここで、本実施形態に特徴的な機能として、表示制御部１５０は、表示制御アプリを実行した端末管理制御部１８０によって制御され、この制御に基づいて表示部１４０における表示態様を変化させるように構成されている。
【００８９】
端末管理制御部１８０は、主に中央演算処理装置（ＣＰＵ）によって構成されるとともに、キー入力ポート、表示制御ポート等の各種入出力ポートを含み、アプリケーション記憶部１０１に記憶された各種のアプリケーションを実行することにより通信端末装置１０の全般的な機能を総括的に制御する。また、端末管理制御部１８０は、イベント参加登録処理及びチェックイン処理を実行する際に用いられるプログラム（所謂、ブラウザ）などのプログラムに基づいて、後述する各種の処理を実行する。
【００９０】
特に、本実施形態において、端末管理制御部１８０は、表示制御アプリを実行した場合に、タイマ１６０から供給される時間情報と表示管理テーブルＴ１に格納された表示制御情報に含まれる日時情報を比較し、現在時刻に対応する日時情報を特定して、当該日時情報と対応付けて表示管理テーブルＴ１に格納されている、表示制御情報、すなわち、動き情報と、色情報と、階調情報と、を読み出して、記憶部１００の図示せぬＲＡＭ上に展開する。
【００９１】
また、この状態に至った後、端末管理制御部１８０は、モーション検出部１３０から供給される各種情報とＲＡＭ上に展開された動き情報を比較し、モーション検出部１３０から提供される通信端末装置１０の動きに対応した発光色、階調及び輝度を決定する。そして、端末管理制御部１８０は、当該決定された発光色、階調、輝度にて表示部１４０に画像が表示されるように表示制御部１５０を制御する構成となっている。
【００９２】
［１．３］サーバ装置の構成
次に、図５〜図７を用いて本実施形態のサーバ装置３０の構成について説明する。なお、図５は、本実施形態におけるサーバ装置３０の構成を示す構成図であり、図６は、本実施形態におけるサーバ装置３０内のイベントＤＢ３３１に記録されるデータの一例を示す図である。また、図７は、本実施形態におけるサーバ装置３０内の表示制御ＤＢ３３２に記録されるデータの一例を示す図である。
【００９３】
本実施形態のサーバ装置３０は、図５に示すように、通信制御部３１０と、ＲＯＭ／ＲＡＭ３２０と、記録装置３３０と、サーバ管理制御部３４０と、を有する。なお、上記の各部は、バスＢによって相互に接続され、各構成要素間におけるデータの転送が実行される。
【００９４】
通信制御部３１０は、所定のネットワークインターフェースであり、通信端末装置１０との間において通信チャネルを構築し、通信端末装置１０とデータ通信を行うために各種データの授受を行う。具体的には、上記イベント参加登録処理やチェックイン処理を実行するために必要なデータの授受を行うと共に、上記表示制御アプリ及び表示制御情報を通信端末装置１０に配信するためのデータ通信を行う。
【００９５】
ＲＯＭ／ＲＡＭ３２０には、サーバ装置３０の駆動に必要な各種のプログラム（例えばＢＩＯＳ（Ｂａｓｉｃ  Ｉｎｐｕｔ／Ｏｕｔｐｕｔ  Ｓｙｓｔｅｍ）等）が記録されている。また、ＲＯＭ／ＲＡＭ３２０は、各種の処理が実行される際のワークエリアとして用いられる。
【００９６】
記録装置３３０は、ＨＤＤにより構成され、その記録領域内にイベントＤＢ３３１及び表示制御ＤＢ３３２が設けられる。
【００９７】
イベントＤＢ３３１は、実世界において開催される各イベント及び当該各イベントの参加ユーザを管理するための情報がデータとして格納されるＤＢである。例えば、イベントＤＢ３３１には、図６に示すように、上記イベント情報、具体的には
（１）当該イベントのイベント会場の位置を示すイベント開催位置情報と、
（２）上記イベントＩＤと、
（３）当該イベントのタイトルや種別等、当該イベントの概要を示すイベント概要情報と、
（４）当該イベントの開催日時を示すイベント開催日時情報と、
（５）当該イベントへの参加登録処理によって当該イベントへの参加を事前に登録したユーザの所持する通信端末装置１０の端末ＩＤと、
が対応付けて記録される。
【００９８】
具体的には、図６に示す例の場合において、イベントＩＤ「ｅｖｅｎｔ：１」としては、「ロックフェスティバル２０１１」なるイベントが、イベント開催位置情報「北緯（Ｎ）：３５：０２：１１／東経（Ｅ）：１４０：０１：２０」にて特定されるイベント会場において開催され、既に参加登録された端末ＩＤ「ＭＳ１〜４」が対応付けて記憶されている。すなわち、「ｅｖｅｎｔ：１」により特定される「ロックフェスティバル２０１１」には、端末ＩＤ「ＭＳ１〜４」により特定される通信端末装置１０を所持するユーザが参加登録していることを示している。
【００９９】
また、図６に示す例の場合には、同様にしてイベントＩＤ「ｅｖｅｎｔ：２」〜「ｅｖｅｎｔ：６」で特定される、各イベントに対応付けて、当該イベントへの参加ユーザが保持する通信端末装置１０の端末ＩＤ「ＭＳ５〜２２」が記憶されている。
【０１００】
なお、イベントＤＢ３３１においては、各イベントの追加、各イベントへの参加ユーザ数の増減に伴って、イベント毎のフィールドまたは端末ＩＤの格納フィールド数も増減する。
【０１０１】
また、同一のイベント会場において日時を区切って複数の異なるイベントが開催される場合がある。例えば、図６に例示する場合、イベント開催位置情報「北緯（Ｎ）：３５：０２：１１／東経（Ｅ）：１４０：０１：２０」により特定されるイベント会場において各々異なる日時で「ロックフェスティバル２０１１」「ファッションショー」「ミュージシャンＡのコンサート」という３つのイベントが開催されることを示している。
【０１０２】
次に、表示制御ＤＢ３３２には、図７に示すように、
（１）各イベントに対応したイベント情報と、
（２）当該イベントにおいて利用されるべき表示制御アプリと、
（３）当該制御アプリの実行時に利用すべき表示制御情報と、
が対応付けて記憶されている。そして、上記チェックイン処理を実行する際には、この表示制御ＤＢ３３２に格納された表示制御アプリ及び表示制御情報が通信端末装置１０に配信（ダウンロード）される。
【０１０３】
例えば、図７に例示する場合、イベント情報に含まれる各イベントＩＤ「ｅｖｅｎｔ：１」〜「ｅｖｅｎｔ：３」により特定される各イベント対して、「Ａｐｐ１」〜「Ａｐｐ３」及び「表示制御情報１」〜「表示制御情報３」が各々対応付けて記憶されている。
【０１０４】
なお、これらのＤＢ３３１および３３２に格納される各種のデータのうち、参加登録処理により登録される端末ＩＤ以外の情報は、上記のようにイベント開催前の時点においてイベント開催者が登録（記憶）するように構成されている。
【０１０５】
サーバ管理制御部３４０は、主に中央演算処理装置（ＣＰＵ）によって構成されるとともに、プログラムを実行することによって、通信制御部３１０の動作管理を行う。
【０１０６】
また、サーバ管理制御部３４０は、各通信端末装置１０からの要求に応じてイベント参加登録処理及びチェックイン処理の管理を行うとともに、記録装置３３０の管理及び制御を行う。また、サーバ管理制御部３４０は、必要に応じてイベントＤＢ３３１及び表示制御ＤＢ３３２に格納される各種データの更新を管理する。
【０１０７】
具体的には、サーバ管理制御部３４０は、通信制御部３１０を制御しつつ、ユーザの操作に対応した通信端末装置１０からの指示に基づいて各ユーザのイベント参加登録処理及びその管理を行う。このとき、サーバ管理制御部３４０は、記録装置３３０と連携し、ユーザ操作に対応した通信端末装置１０からの指示に基づいて、イベントＤＢ３３１を更新するとともに、チェックイン処理において、表示制御アプリ及び表示制御情報の配信を制御する。
【０１０８】
特に、サーバ管理制御部３４０は、イベント参加登録処理時及びチェックイン処理において、上記イベント一覧データを生成し、通信端末装置１０に配信する（ダウンロードさせる）ように構成されている。
【０１０９】
なお、イベント一覧データとは、イベント情報やイベントＩＤ、開催日時情報、更には各イベントに参加登録済みのユーザが存在する場合には、当該ユーザの通信端末装置１０の端末ＩＤを含み、所定のイベント会場にて開催されるイベントの一覧を通信端末装置１０において表示、選択させるためのデータである。
【０１１０】
［１．４］通信端末装置及び画像共通サーバ装置の動作
次に、図８及び図９を用いて本実施形態の通信システムにおいて実行される通信端末装置及びサーバ装置の具体的な処理について説明する。なお、図８は、本実施形態の通信端末装置１０及びサーバ装置３０におけるチェックイン処理を示すフローチャートであり図９は、このチェックイン処理によりチェックイン状態となった通信端末装置１０において表示態様を変更するための処理、すなわち、表示態様変更処理を示すフローチャートである。
【０１１１】
［１．４．１］イベント開始前におけるチェックイン処理の動作
まず、図８を用いて本実施形態のイベント開始前におけるチェックイン処理時における通信端末装置１０及びサーバ装置３０の動作について説明する。
【０１１２】
このチェックイン処理においては、まず通信端末装置１０において、ブラウザが読み出されて、操作部１７０に対するユーザの操作指示が検出されると（ステップＳ１０１）、端末管理制御部１８０が現在位置検出部１２０に対して命令コマンドを出力し、現在位置検出部１２０に当該通信端末装置１０の現在位置（すなわち、イベント会場またはその付近）に対応した位置情報を検出させる（ステップＳ１０２）。
【０１１３】
次に、端末管理制御部１８０は、当該位置情報及び自機の端末ＩＤを付加したチェックイン要求をサーバ装置３０に送信し（ステップＳ１０３）、現在位置付近において開催されているイベントに関するイベント一覧データの受信を待機する（ステップＳ１０４）。
【０１１４】
一方、サーバ装置３０において、サーバ管理制御部３４０は、通信端末装置１０からのチェックイン要求を受信すると（ステップＳ２００）、以下のルーチンを実行する。
【０１１５】
まず、サーバ管理制御部３４０は、チェックイン要求に付加された現在位置情報を抽出し（ステップＳ２０１）、該抽出した現在位置情報を検索キーとしてイベントＤＢ３３１を検索する（ステップＳ２０２）。
【０１１６】
具体的には、ステップＳ２０２の処理において、サーバ管理制御部３４０は、抽出した位置情報に合致するイベント開催位置情報をイベントＤＢ３３１から特定して、当該開催位置情報と対応付けてイベントＤＢ３３１に記録されているイベント情報を特定する。
【０１１７】
次いで、サーバ管理制御部３４０は、この特定されたイベント情報を用いて、イベント一覧データを生成して、通信端末装置１０宛てに配信して待機する（ステップＳ２０３）。
【０１１８】
一方、通信端末装置１０においては、端末管理制御部１８０がネットワーク通信部１１０を介してサーバ装置３０から配信されたイベント一覧データの受信を検出すると（ステップＳ１０４）、端末管理制御部１８０は、表示制御部１５０を制御して、当該イベント一覧データを表示部１４０に表示させる（ステップＳ１０５）。
【０１１９】
具体的には、表示制御部１５０は、この処理によって、ユーザの現在位置（すなわち、ユーザが所在しているイベント会場）またはその付近において開催されるイベントの一覧（例えば、イベント情報と開催日時情報）を選択可能に表示部１４０に表示する。
【０１２０】
次いで、端末管理制御部１８０は、操作部１７０を介してユーザ操作に基づいてユーザのチェックインするイベント（選択されたイベント）を検出すると、すなわち、操作部１７０及び表示制御部１５０と連動し、チェックインすべきイベントの選択入力を受け付けと（ステップＳ１０６）、イベント一覧データに含まれるユーザが選択したイベントのイベントＩＤを抽出して（ステップＳ１０７）、当該イベントＩＤをサーバ装置３０に送信する（ステップＳ１０８）。
【０１２１】
他方、サーバ装置３０においては、通信端末装置１０から送信されたイベントＩＤの受信を通信制御部３１０を介して検出すると（ステップＳ２０４）、サーバ管理制御部３４０は、当該イベントＩＤを検索キーとして、表示制御ＤＢ３３２を検索する（ステップＳ２０５）。このとき、サーバ管理制御部３４０は、当該イベントＩＤと同一のイベントＩＤを含むイベント情報を特定する。
【０１２２】
次いで、サーバ管理制御部３４０は、この検索により特定されたイベント情報と対応付けて、表示制御ＤＢ３３２に記憶されている表示制御アプリ及び表示制御情報を読み出し、通信端末装置１０に配信し（ステップＳ２０６）、処理を終了する。
【０１２３】
また、通信端末装置１０においては、端末管理制御部１８０がネットワーク通信部１１０と連携して、サーバ装置３０によって配信された表示制御アプリ及び表示制御情報の受信を検出すると（ステップＳ１０９）、端末管理制御部１８０が、記憶部１００と連携して表示制御アプリをアプリケーション記憶部１０１に記憶させるとともに、表示管理テーブルＴ１を更新して（ステップＳ１１０）、図９に示す表示態様変更処理のルーチンに移行する。
【０１２４】
このとき、端末管理制御部１８０は、記憶部１００と連携し、チェックイン中のイベントに対応するイベントＩＤと、表示制御アプリの記憶アドレスを特定して、当該イベントＩＤと、記憶アドレスと、サーバからダウンロードした表示制御情報と、を対応付けて表示管理テーブルＴ１に格納させる。
【０１２５】
［１．４．２］表示態様変更処理
次に、図９を用いて表示態様変更処理における通信端末装置１０の動作について説明する。なお、この処理においては、端末管理制御部１８０によってチェックインしたイベントに対応する表示制御アプリ（すなわち、図８のステップＳ１１０においてアプリケーション記憶部１０１に記憶した表示制御アプリ）が読み出されているものとする。
【０１２６】
まず、端末管理制御部１８０が、モーション検出部１３０から、すなわち、ジャイロセンサ１３１、加速度センサ１３２、電子コンパス１３３またはそれらの２以上のものから情報を検出すると（ステップＳ１０）、当該端末管理制御部１８０は、タイマ１６０と連携しつつ現在時刻を検出する（ステップＳ１１）。
【０１２７】
次いで、端末管理制御部１８０は、タイマ１６０から検出された現在時刻の情報（単に、「時間情報」ともいう。）を検索キーとして表示管理テーブルＴ１を検索する（ステップＳ１２）。このとき、端末管理制御部１８０は、検出された時間情報を表示管理テーブルＴ１に格納された表示制御情報に含まれる日時情報を比較し、当該日時情報と対応付けて表示管理テーブルＴ１に格納されている、表示制御情報、すなわち、動き情報と、色情報と、階調情報と、を読み出して、記憶部１００の図示せぬＲＡＭ上に展開する（ステップＳ１３）。
【０１２８】
次いで、端末管理制御部１８０は、モーション検出部１３０から出力された各情報に基づいて通信端末装置１０の動きを判定する（ステップＳ１４）。すなわち、端末管理制御部１８０は、「横振り」か「縦振り」であるかの「振り方向」を判定しつつ、振りの強度（すなわち、速度）及び当該通信端末装置１０の表示部１４０が向いている方角を判定する。なお、振りの強度は、予め複数の閾値を設け、段階的（例えば、レベル１〜レベル５）に、その強度を判定する。
【０１２９】
次いで、端末管理制御部１８０は、判定された通信端末装置１０の動きとＲＡＭ上に展開された動き情報を比較し（ステップＳ１５）、モーション検出部１３０から提供される通信端末装置１０の動きに基づいて、表示部１４０に表示する際の色、階調及び輝度を決定する（ステップＳ１６）。
【０１３０】
具体的には、端末管理制御部１８０は、現在時刻と判定された「振り方向」とに基づいてベースとなる色情報及び階調情報を特定し、振り方向に基づいて特定された階調情報に、判定された振りの強度及び判定された方向に基づいて階調値の増減、及び、表示部１４０の輝度値の増減またはその双方を調整し、表示部１４０に表示する差異の色、階調及び輝度を決定する。
【０１３１】
例えば、端末管理制御部１８０は、「振りの強度」が「レベル３」のときは、特定された階調情報に示される値を維持し、レベルが「１」増減すると、ベースの階調値に「±１０」、すなわち、レベル４ならベースとなる階調値に１０を加算し、レベル５ならベースとなる階調値に２０を加算し、レベル２ならベースとなる階調値から１０を減算し、レベル１ならベースとなる階調値から２０を減算する。また、輝度についても同様に、「振りの強度」が「レベル３」のときは、予め設定された輝度値に示される値を維持し、レベルが「１」増減すると、予め定められた輝度値に「±１０％」、すなわち、レベル４ならベースとなる輝度値に１０％を加算し、レベル５ならベースとなる輝度値に２０％を加算し、レベル２ならベースとなる輝度値から１０％を減算し、レベル１ならベースとなる輝度値から２０％を減算する。
【０１３２】
一方、端末管理制御部１８０は、方角については、基準となる方向（基準方向）から所定の角度ずれる毎に階調値、輝度値またはその双方の値を減少させる。例えば、端末管理制御部１８０は、基準方向から±３０度離れる毎に階調値を「１０」減算し、及び、輝度値を「１０％」減算する。ただし、基準方向は、例えば、ステージが設定されている方向として予め表示制御アプリに規定されている。
【０１３３】
なお、本実施形態においては、端末管理制御部１８０は、「振り方向」の判定のみによって表示部１４０に表示する差異の色、階調及び輝度を決定してもよいし、「振り方向」と「振りの強度」または「方角」の組み合わせによって表示部１４０に表示する差異の色、階調及び輝度を決定してもよい。
【０１３４】
次いで、端末管理制御部１８０は、当該決定した色、階調、輝度にて、表示部１４０に画像が表示されるように、表示制御部１５０に制御命令を出力する（ステップＳ１７）。
【０１３５】
次いで、端末管理制御部１８０は、ステップＳ１０の処理によってモーション検出部１３０からの出力があった時刻から所定の時間内（例えば、１秒以内）における当該モーション検出部１３０からの出力の有無を判定する（ステップＳ１８）。すなわち、端末管理制御部１８０は、継続してモーション検出部１３０から出力があるか否かを判定する。このとき、端末管理制御部１８０は、モーション検出部１３０から継続して情報が出力されていると判定した場合には、ステップＳ１１に移行し、モーション検出部１３０から継続して情報が出力されていないと判定した場合には、ステップＳ１９の処理に移行する。
【０１３６】
最後に、端末管理制御部１８０は、ステップＳ１８の処理において、モーション検出部１３０から継続して情報が出力されていないと判定した場合には、操作部１７０から表示制御アプリの終了指示が為されたか否か、または、前回のステップＳ１０の処理によってモーション検出部１３０からの出力があった時刻以降に既に当該終了指示が為されているか否かを判定する（ステップＳ１９）。このとき、端末管理制御部１８０は、当該終了指示がないと判定した場合には、ステップＳ１０の処理に移行し、当該終了指示があったと判定された場合には、本動作を終了させる。
【０１３７】
例えば、図４に例示するような構成の表示制御情報が表示管理テーブルＴ１に格納されている例を想定すると「２０１１／８／１１１：００−１１：３０」の時間帯には、ユーザが自身の所持する通信端末装置１０を「縦に振る」と、表示色は色情報により特定される「赤」階調は「１２０」と決定される。また、「横振り」を行うと階調は同一であっても表示色は「青」になり、回転させると表示色は、「シルバー」に変化する。また、イベントの進捗と合わせて日時が同日の「１１：３０−１２：００」の時間帯になると、発光色は「縦振り」で「白」「横振り」で「黄」「回転」で「緑」に変化するとともに、階調も「１６０」に変更される。そして、その後もイベントの進捗に合わせて日時が変わり、各動きに対応する色情報と、階調情報が変化していくようになっている。
【０１３８】
また、通信端末装置１０の振りの強度のレベルが上がれば、階調値及び輝度値は増加し、当該レベルが下がれば階調値及び輝度値は減少するとともに、通信端末装置１０をステージ方向に向けている場合には、階調値及び輝度値の変化は無いが、ステージ方向からずれる毎に階調値及び輝度値が減少し、色や明るさが変化するようになっている。
【０１３９】
したがって、本実施形態においては、イベントの進捗及び検出された動き（すなわちユーザのジェスチャ）に基づいて表示態様を変化させることができるようになっている。
【０１４０】
また、表示制御アプリ及び表示制御情報は、イベント開催者が自身の意図に合致するように自由に構築し、事前にサーバ装置３０に登録できるため、イベント開催者の意図を反映した演出効果の実現も可能となる。この結果、ユーザ個々人の自己アピール欲求と、イベント開催者の意図する演出効果と、の双方を満たした演出効果を実現し、もって、イベントにおける演出効果を最大限に発揮させることが可能となる。
【０１４１】
なお、表示態様変更処理については、全ての通信端末装置１０において同一である。
【０１４２】
［２］第２実施形態
次に、図１０及び図１１を用いて本発明に係る通信システム１の第２実施形態について説明する。なお、図１０は、本実施形態におけるイベントＤＢ３３１のデータ格納例を示す図であり、図１１は本実施形態における表示制御ＤＢ３３２のデータ格納例を示す図である。
【０１４３】
［２．１］通信システムの概要
本実施形態は、第１実施形態の通信システム１と同様に、通信端末装置１０のユーザのジェスチャに応じて表示部１４０の表示態様を変化させるものである。ただし、本実施形態において表示制御情報は、単にイベント毎に異なったものが設けられているのではなく、更に細かくイベント会場における座席毎に異なったものが用意されており、ユーザが利用する座席毎に表示態様の変化過程を異なったものとするように構成されている点に特徴がある。
【０１４４】
また、本実施形態においては、上記の特徴点を実現するための構成要素のみが第１実施形態と異なっている。したがって、特に説明する場合を除き、本実施形態の通信端末装置及びサーバ装置の構成は第１実施形態と同一であり、同一の構成については同一の符号を付してその説明を省略する。
【０１４５】
具体的には、本実施形態においてサーバ装置３０は、第１実施形態とは異なる構成のイベントＤＢ３３１及び表示制御ＤＢ３３２を有している。
【０１４６】
図１０に示すように、本実施形態のイベントＤＢ３３１は、上記図６に示す各情報に加えて、各通信端末装置１０のユーザが利用する座席を一意に特定するための座席情報がデータとして格納されるように構成されている。
【０１４７】
なお、座席情報の登録方法は任意であり、例えば、上記イベント参加登録処理時にユーザが入力するようにしてもよい。また、事前にチケット予約を行うための他のシステムが存在する場合には、当該システムから各ユーザの座席情報を取得するように構成してもよい。
【０１４８】
表示制御ＤＢ３３２は、図１１に例示するように、上記図７とは異なり、
（１）各イベントのイベント情報（イベントＩＤを含む）と、
（２）当該イベント会場における座席を示す座席情報と、
（３）当該イベントに対応した表示制御アプリと、
（４）当該座席を利用するユーザの通信端末装置１０において表示態様変更処理を実行する際に利用すべき表示制御情報と、
が対応付けて記憶されている。
【０１４９】
なお、本実施形態においても、表示制御アプリは、第１実施形態と同様の機能及び処理を実現するためのものであり、イベント毎に構築されるものであって、座席とは、関連性を有していない。これに対して、表示制御情報は、座席毎に異なった構成にて構築されている。これらのデータは、第１実施形態と同様にイベント開催者が事前に構築し、登録しておくものである。
【０１５０】
また、上記のようにイベントＤＢ３３１及び表示制御ＤＢ３３２が座席情報と対応付けて構築されているため、上記チェックイン処理においてサーバ装置３０のサーバ管理制御部３４０は、イベントＤＢ３３１を検索する際に（図８ステップＳ２０２）、通信端末装置１０から送信された、チェックイン要求に含まれる位置情報及び端末ＩＤの双方に基づき、当該通信端末装置１０のユーザがチェックインしようとするイベントを特定し、更に座席情報も特定する。
【０１５１】
そして、図８ステップＳ２０５において表示制御ＤＢ３３２を検索する際、当該特定された座席情報に対応付けられた表示制御情報を通信端末装置１０に配信するように構成されている。
【０１５２】
具体的には、表示制御ＤＢ３３２において当該特定されたイベントのイベント情報と対応付けられた表示制御アプリを配信対象とするとともに、当該座席情報に対応付けられた表示制御情報を配信対象として特定する（ステップＳ２０５）。
【０１５３】
そして、当該特定された表示制御アプリ及び表示制御情報の組み合わせを図８ステップＳ２０６において通信端末装置１０に配信する。
【０１５４】
この結果、通信端末装置１０には、ユーザがチェックインしたイベントに対応する表示制御アプリと当該ユーザの利用する座席に対応する表示制御情報が配信され、上記表示態様変更処理においては、これら、表示制御アプリと表示制御情報の組み合わせに基づいて表示部１４０における表示態様が変更されるようになっている。
【０１５５】
この結果、本実施形態の通信システム１によれば、座席毎に表示態様の変化を制御できるため、より細やかな演出効果を実現できる。
【０１５６】
なお、上記実施形態においては、ＧＰＳ信号や無線通信用の信号を用いた現在位置検出部１２０によってイベント会場内位置も検出し、イベント会場内現在位置情報を取得するようになっているが、イベント会場が屋外の広大なスペースの場合には、ＧＰＳ信号を用いるとともに、屋内の小スペースの場合には、ワイヤレスＬＡＮ用の信号を用いるなど、状況に合わせて検出方法を切り換えてもよい。
【０１５７】
また、上記第２実施形態においては、座席情報を事前にイベントＤＢ３３１に登録する構成を採用しているが、位置情報により座席を推定するように構成してもよい。この場合には、イベントＤＢ３３１に位置情報と対応付けて候補となりうる座席情報を複数登録しておき、イベント一覧データの生成時、イベントのみならず座席も選択可能なようにイベント一覧データを生成する構成とする。そして、通信端末装置１０において表示された、イベント一覧中からチェックインするイベントとともに、当該候補座席の中から一の座席を選択させるように構成すればよい。
【０１５８】
さらに、上記第２実施形態においては、表示制御ＤＢ３３２に座席毎に異なった表示制御情報を格納しておき、チェックイン処理時にユーザの利用する座席に合致する表示制御情報をサーバ装置３０から通信端末装置１０に配信する構成を採用しているが、表示制御情報そのものに座席情報（位置情報）を含ませ、この座席情報毎に、異なる、動き情報、色情報、階調情報を対応付けて表示制御情報を構築して、通信端末装置１０の位置（座席）に応じて動的に利用する動き情報等を変更する構成としてもよい。
【０１５９】
［３］変形例
上記第１及び第２実施形態においてはチェックイン処理時、通信端末装置１０からの要求に応じて表示制御アプリと表示制御情報を配信する構成を採用しているが、表示制御アプリ及び表示制御情報は、通信端末装置１０にプレインストールする構成を採っても構わない。
【０１６０】
また、上記第１及び第２実施形態においては、チェックイン処理時に、通信端末装置１０からの要求に応じて表示制御アプリと、表示制御情報表と、の双方を配信する構成を採っているが、表示制御情報については、表示制御アプリの実行中にサーバ装置３０からプッシュ配信する構成としてもよい。
【０１６１】
具体的には、チェックイン処理において表示制御アプリを配信しておき、任意のタイミングにて表示制御情報をプッシュ配信する構成とするのである。この場合には、表示制御アプリの実行開始時、通信端末装置１０からサーバ装置３０に自機の端末ＩＤを送信する。そして、サーバ装置３０において当該送信されてきた端末ＩＤを保存、及び、管理する。
【０１６２】
なお、具体的な管理、保存方法については、任意である。例えば、サーバ管理制御部３４０が通信制御部３１０を介して受信した端末ＩＤに合致する端末ＩＤをイベントＤＢ３３１から特定し、当該特定した端末ＩＤと対応付けて該通信端末装置１０が表示態様変更処理中であることを示すフラグをイベントＤＢ３３１に格納するようにしてもよい。そして、フラグが格納されている、端末ＩＤに対応する通信端末装置１０に対して、表示制御情報を任意のタイミングにおいてプッシュ配信する。この構成を採用する場合には、表示態様変更処理中、常時、サーバ装置３０との通信チャネル維持するように表示制御アプリを構築すればよい。
【０１６３】
また、多少のタイムラグが許容できる場合には、疑似プッシュ配信のように通信端末装置１０が表示制御アプリに従って、一定の間隔にて通信端末装置１０がサーバ装置３０に表示制御情報の配信要求を送信するように表示制御アプリを構築すればよい。
【０１６４】
何れの構成を採用した場合にも、例えば、イベントのタイムスケジュールがずれ込んだような場合であっても、随時、サーバ装置３０から新たな表示制御情報を任意のタイミングで通信端末装置１０に配信できるので、常に、イベント開催者の意図を反映した、演出を表現することが可能となる。
【０１６５】
この結果、イベント開催中においても、随時、通信端末装置１０に配信される表示制御情報を更新、変更して、演出効果を動的に変化させることができる。特に、第２実施形態においてプッシュ配信を行う場合には、座席毎に動的な変化を持たせることができ、演出効果をよりきめ細やかに制御できることになる。
【０１６６】
また、上記第実施形態においては、表示制御情報に通信端末装置１０の掲げられた方角に対応して、表示態様を変化させるための方角情報が設けられておらず、表示制御アプリに基づく処理時に方角に応じて輝度を変更する構成となっているが、表示制御情報に方角情報を含めておき、その方角情報と、検出された方角に基づいて、輝度のみならず、発光色や階調を変更する構成としてもよい。
【０１６７】
特に、第２実施形態の場合には、ユーザの座席を特定できるため、当該座席からイベント会場の入り口の方角を表示制御情報において規定しておき、入り口方向に通信端末装置１０を掲げた場合に、一段階輝度や階調を上げるというような構成にすることも可能である。
【０１６８】
この構成を採用した場合には、イベントのメインゲストが入場する際等にユーザが入り口方向に通信端末を掲げることにより、ゲスト入場時のみ一層強く発光させる等、更なる、演出効果の向上が実現できる。
【符号の説明】
【０１６９】
１  …  通信システム
１０  …  各通信端末装置
３０  …  サーバ装置
１００  …  記憶部
１０１  …  アプリケーション記憶部
１０２  …  テーブル記憶部
１０４  …  イベント情報記憶部
１１０  …  ネットワーク通信部
１２０  …  現在位置検出部
１３０  …  モーション検出部
１３１  …  ジャイロセンサ
１３２  …  加速度センサ
１３３  …  電子コンパス
１４０  …  表示部
１５０  …  表示制御部
１６０  …  タイマ
１７０  …  操作部
１８０  …  端末管理制御部
３１０  …  通信制御部
３２０  …  ＲＯＭ／ＲＡＭ
３３０  …  記録装置
３４０  …  サーバ管理制御部
【図１】
2013077118.tif 000003
【図２】
2013077118.tif 000004
【図３】
2013077118.tif 000005
【図４】
2013077118.tif 000006
【図５】
2013077118.tif 000007
【図６】
2013077118.tif 000008
【図７】
2013077118.tif 000009
【図８】
2013077118.tif 000010
【図９】
2013077118.tif 000011
【図１０】
2013077118.tif 000012
【図１１】
2013077118.tif 000013